(57)【要約】      （修正有）【課題】一種の無線周波数識別位置決め装置とその方法を提供する。【解決手段】少なくとも一つの無線周波数識別タグを識別できる。該装置は発振モジュール、コンデンサー、複数の検知モジュール、識別モジュール及び複数のモジュール回路を含める。発振モジュールより、所定の周波数を発振する。検知モジュールの第１切換えユニットは所定の周波数に従い、導通動作を実行し、第１誘導コイルとコンデンサーとを磁束を形成し、第１誘導コイルに識別信号を検知させ、第２誘導コイルにより磁束量を強化する。識別モジュールにより、識別信号を受信し、無線周波数識別タグの識別と位置決めを実行する。各モジュール回路を、発振モジュール、検知モジュール、コンデンサー及び識別モジュールに接続し、識別信号を伝送する。各モジュール回路の長さをほぼ一致にして、すべての誘導コイルを電気整合状態にする。【選択図】図２
2009065660.tif 000002
【特許請求の範囲】
【請求項１】
少なくとも一つの無線周波数識別タグを識別し、該無線周波数識別位置決め装置は以下を含め、
発振モジュールより、所定の周波数を発振し、
少なくとも一つのコンデンサーは、
複数の検知モジュールは、各検知モジュールは少なくとも第１切換えユニット、第１誘導コイルと第２誘導コイルを備え、該第１切換えユニットは、該周波数に従い、導通動作又は切断動作のいずれを実行し、該導通動作の実行により、該第１誘導コイルと該コンデンサーと磁束を形成し、該磁束により、該第１誘導コイルを該無線周波数識別タグの識別信号を識別し、該第２誘導コイルと該第１誘導コイルを並列に接続し、該磁束量を強化させ、
識別モジュールは、識別信号を受信し、無線周波数識別タグの識別と位置決めを実行し、
複数のモジュール回路のうち、各モジュール回路は、発振モジュール、当該検知モジュールいずれ、コンデンサー及び識別モジュールに接続し、識別信号を伝送し、
各モジュール回路の長さをほぼ一致にして、すべての誘導コイルを電気整合状態にする、一種の無線周波数識別位置決め装置。
【請求項２】
各検知モジュールはさらに第２切換えユニットを有し、該第２切換えユニットは、二つの識別信号が同時に該識別モジュールに伝送されることを防止することを特徴とする請求項１記載の装置。
【請求項３】
各検知モジュールは、さらに接地単元を有し、該接地単元は他の誘導コイルが該第１誘導コイルと該第２誘導コイルへの干渉を防止することを特徴とする請求項１記載の装置。
【請求項４】
各検知モジュールはさらに、第３切換えユニットと第４切換えユニットを有し、該、第３切換えユニットと第４切換えユニットは、該第１誘導コイルと該第２誘導コイルを接地させることを特徴とする請求項１記載の装置。
【請求項５】
当該検知モジュールは、あらかじめに設定した配列方式により配列することを特徴とする請求項１記載の装置。
【請求項６】
当該検知モジュールの第１切換えユニットは、同じ時間に該導通動作を実行できる第１切換えユニットは一つのみであることを特徴とする請求項１記載の装置。
【請求項７】
該コンデンサーは、可変コンデンサーを含め、該可変コンデンサーは第１コンデンサー値を調整することにより磁束量を変更することを特徴とする請求項１記載の装置。
【請求項８】
該コンデンサーは、固定コンデンサーと第２可変コンデンサーを含め、該第２可変コンデンサーは、第２コンデンサー値を調整することにより、磁束量を変更することを特徴とする請求項１記載の装置。
【請求項９】
該識別モジュールは、該第１誘導コイルの位置に従い、該無線周波数識別タグの位置決めを行うことを特徴とする請求項１記載の装置。
【請求項１０】
各モジュール回路の長さをほぼ一致にして、すべての誘導コイルのインダクタンス値誤差を軽減することを特徴とする請求項１記載の装置。
【請求項１１】
イ  無線周波数識別位置決め装置を提供し、発振モジュール、少なくとも一つのコンデンサー、複数の検知モジュール、識別モジュール及び複数のモジュール回路を含め、各検知モジュールは、少なくとも一つの切換えユニット、第１誘導コイル及び第２誘導コイルを含め、各モジュール回路は、該発振モジュール、当該検知モジュールのいずれ、該コンデンサー及び該識別モジュールに接続し、かつ、それぞれの回路モジュールの長さをほぼ一致にして、
ロ  発振モジュールより、所定の周波数を発振し、
ハ  該周波数に従い、当該検知モジュールの一つの第１切換えユニットは導通動作を実行し、他の第１切換えユニットは切断動作を実行する、
二  導通動作の実行により、第１誘導コイルとコンデンサーに磁束を形成し、この磁束により第１誘導コイルは無線周波数識別タグの識別信号を検知でき、
ホ  該第２誘導コイルと第１誘導コイルとを並列に接続し、磁束量を強化させ、
へ  当該モジュール回路のいずれを介して、識別信号を伝送し、
ト  該識別モジュールにより、識別信号を受信し、無線周波数識別タグの識別と位置決めを実行するステップを含めることを特徴とする、一種の無線周波数識別位置決め方法。
【請求項１２】
該ステップトはさらに、ステップチを含め、各検知モジュールに第２切換えユニットを設け、同じ時間に二つの識別信号を該識別モジュールに送信されないように防止することを特徴とする請求項１１記載の一種の方法。
【請求項１３】
該ステップチの後はさらに、ステップリを含め、各検知モジュールに接地単元を設け、他の誘導コイルによる第１誘導コイルと第２誘導コイルの干渉を防止することを特徴とする請求項１２記載の一種の方法。
【請求項１４】
該ステップリの後はさらに、ステップヌを含め、各検知モジュールに第３切換えユニットと第４切換えユニットを設け、該第１誘導コイルと第２誘導コイルを接地させることを特徴とする請求項１３記載の一種の方法。
【請求項１５】
当該検知モジュールは、あらかじめに設定した配列方式により配列することを特徴とする請求項１１記載の方法。
【請求項１６】
該コンデンサーは、第１可変コンデンサーを含め、該第１可変コンデンサーは第１コンデンサー値を調整することにより磁束量を変更することを特徴とする請求項１１記載の方法。
【請求項１７】
該コンデンサーは、固定コンデンサーと第２可変コンデンサーを含め、該第２可変コンデンサーは、第２コンデンサー値を調整することにより、磁束量を変更することを特徴とする請求項１１記載の方法。
【請求項１８】
該識別モジュールは、該第１１誘導コイルの位置に従い、該無線周波数識別タグの位置決めを行うことを特徴とする請求項１１記載の方法。
【請求項１９】
各モジュール回路の長さをほぼ一致にして、すべての誘導コイルのインダクタンス値誤差を軽減することを特徴とする請求項１１記載の方法。
【発明の詳細な説明】
【技術分野】
【０００１】
本発明は一種の無線周波数識別装置とその方法であって、特に、各モジュール回路の長さをほぼ一致にして、誘導コイルを電気整合状態の無線周波数位置決め装置として、無線周波数タグの識別と位置決めを行うものである。
【背景技術】
【０００２】
無線周波数識別システム（Ｒａｄｉｏ  Ｆｒｅｑｕｅｎｃｅｙ  Ｉｄｅｎｔｉｆｉｃａｔｉｏｎ  Ｓｙｓｔｅｍ，以下ＲＦＩＤという）はその無線周波数と識別機能を有し、ＲＦＩＤ信号の検知領域において、物体に接触することなく、ＲＦＩＤタグの識別信号の読み取り、物体又はデータ内容を識別できるため、身分識別に広く使われている。しかしながら、ＲＦＩＤシステム通常は、位置決め機能がなく、識別機能しかないため、実務応用の範囲が限られている。よって、ＲＦＩＤシステムを位置決め機能と結合し、複数のＲＦＩＤタグを識別及び位置決めすることは重要な課題となっている。
【０００３】
図１に、公知技術によるＲＦＩＤ位置決め装置の概略図を示す。少なくとも一つのＲＦＩＤタグ１２の識別と位置決めを行うことができる。この図において、ＲＦＩＤ位置決め装置１１は、周波数発生器１１１と、切換えユニット１１２と、アンテナ検知キット１１３と、コンデンサー１１４及び検知回路１１５とを含める。まず、周波数発生器１１１より周波数を発生し、切換えユニット１１２により、すべての切換え動作を実行する。引き続きに、アンテナ検知キット１１３、コンデンサー１１４と周波数発生器１１１により共振回路を構成し、アンテナ検知キット  １１３に磁束を形成させる。ＲＦＩＤタグ１２の検知可能な領域において、ＲＦＩＤタグ１２は磁場結合により充電した上、ＲＦＩＤ信号を発振する。次に、検知回路１１５により磁束量の変更を検知することにより、ＲＦＩＤタグ１２送信データを識別及び位置決めすることができる。
【発明の開示】
【発明が解決しようとする課題】
【０００４】
前記の公知技術の欠点は、ＲＦＩＤ位置決め装置１１回路の長さが一様でないため、アンテナ検知キット１１３内蔵の誘導コイルは電気整合状態に至らないことから、共振発生が困難である。このため、アンテナ検知キット１１３とコンデンサー１１４は磁束があるときに、アンテナ検知キット１１３はＲＦＩＤタグ１２の識別信号を正確に検知することが難しい。このほか、ＲＦＩＤ位置決め装置１１内部はアンテナ検知キット１１３だけが取り付けられているため、アンテナ検知キット１１３より発生する磁束量が弱く、検知能力も劣る。その上、ＲＦＩＤ位置決め装置１１の切換えユニット１１２は一つしかないため、検知回路１１５に二つの識別信号が入力されたとき、ＲＦＩＤタグ１２の識別と位置決めが難しい。そして、ＲＦＩＤ位置決め装置１１に接地機能がなおいため、アンテナ検知キット１１３内部各誘導コイルから発生する磁場は互いに干渉されてしまう。
【０００５】
本発明人は公知技術の欠点を解決し、利用者のＲＦＩＤ位置決め装置のニーズに応えるべく、長年の研究と数多くの実務経験に基づいて、多方面にわたる研究設計とテーマ研究などを経て、本発明による一種の無線周波数位置決め装置とその方法を考案し、前記の需要の実現方法と根拠とを提供する。
【課題を解決するための手段】
【０００６】
前記の課題について、すべてのモジュール回路の長さをほぼ一致にして、ＲＦＩＤ位置決め装置の誘導コイルの電気整合状態を実現し、ＲＦＩＤタグの識別と位置決めを提供することにより、利用者のＲＦＩＤ位置決め装置に対するニーズに応える。さらに、公知技術の欠点を解決し、誘導コイルの電気整合状態を実現し、識別信号を正確に認識する。それに伴い、誘導コイルの検知能力が引き上げられ、識別モジュールに二つの識別信号の同時受信を避け、かつ、各誘導コイルの磁場を互いに干渉しない、一種の無線周波数位置決め装置とその方法を提供することを本考案の主な目的とする。
【０００７】
前記の目的を達成するため、本発明によるＲＦＩＤ位置決め装置は、少なくとも一つのＲＦＩＤタグを識別と位置決めできる。そのうち、発振モジュール、少なくとも一つのコンデンサー、複数の検知モジュール、識別モジュール及び複数のモジュール回路を含める。発振モジュールより、所定の周波数を発振する。さらに、複数の検知モジュールにおいて、各検知モジュールは少なくとも一つの第１切換えユニット、第１誘導コイル及び第２誘導コイルを有する。第１切換えユニットは所定の周波数により、導通と切断動作のいずれを実行する。導通動作により、第１誘導コイルとコンデンサーに磁束を形成し、この磁束により第１誘導コイルはＲＦＩＤタグの識別信号を検知できる。一方、第２誘導コイルと第１誘導コイルとを並列に接続し、磁束量を強化させる。このほか、識別モジュールは識別信号を受信し、ＲＦＩＤタグの識別と位置決めを実行する。さらに、複数のモジュール回路のうち、各モジュール回路は、発振モジュール、当該検知モジュールいずれ、コンデンサー及び識別モジュールに接続し、識別信号を伝送する。そのうち、各モジュール回路の長さをほぼ一致にして、すべての誘導コイルを電気整合状態にする。
【０００８】
引き続きに、本発明はさらに一種のＲＦＩＤ位置決め方法を提供し、以下のステップを含める。
イ  ＲＦＩＤ位置決め装置を提供し、発振モジュール、コンデンサー、複数の検知モジュール、識別モジュール及び複数のモジュール回路を含める。各検知モジュールは、少なくとも一つの切換えユニット、第１誘導コイル及び第２誘導コイルを含める。各モジュール回路は、発振モジュール、当該検知モジュールのいずれ、コンデンサー及び識別モジュールに接続し、かつ、それぞれの回路モジュールの長さをほぼ一致にする。
ロ  発振モジュールより、所定の周波数を発振する。
ハ  周波数に従い、当該検知モジュールの一つの第１切換えユニットは導通動作を実行し、他の第１切換えユニットは切断動作を実行する。
二  導通動作の実行により、第１誘導コイルとコンデンサーに磁束を形成し、この磁束により第１誘導コイルはＲＦＩＤタグの識別信号を検知できる。
ホ  一方、第２誘導コイルと第１誘導コイルとを並列に接続し、磁束量を強化させる。
二  当該モジュール回路のいずれを介して、識別信号を伝送する。
ト  識別モジュールにより、識別信号を受信し、ＲＦＩＤタグの識別と位置決めを実行する。
審査官の方々が本発明で使用される技術手段およびその達成効果について、さらなるのご理解と認識を計るため、本発明の好ましい実施例と図式を合わせて、以下のとおり詳細説明する。そのうち、同じ素子は同じ符号を付けて、説明する。
【発明を実施するための最良の形態】
【０００９】
図２に、本発明によるＲＦＩＤ位置決め装置の概略図を示す。この図において、ＲＦＩＤ位置決め装置２１は少なくとも一つのＲＦＩＤタグ２２を識別できる。そのうち、発振モジュール２１１、少なくとも一つのコンデンサー２１４、複数の検知モジュール、識別モジュール２１５（検知回路など）及び複数のモジュール回路を含める。そのうち、発振モジュール２１１より、所定の周波数２１１１を発振する。さらに、複数の検知モジュールは、直列、並列、二次元マトリックス、三次元マトリックスなど、あらかじめに設定した配列方式により配列される。各検知モジュール２１３は、少なくとも一つの切換えユニット２１３１、第１誘導コイル２１３５及び第２誘導コイル２１３６を含める。第１切換えユニット２１３１は周波数２１１１に従い、導通又は切断動作のいずれを実行し、かつ、すべての第１切換えユニットが同じ時間において、導通動作を実行できる第１切換えユニットは一つに限る。この導通動作により、第１誘導コイル２１３５とコンデンサー２１４に磁束を形成し、この磁束により第１誘導コイルはＲＦＩＤタグ２２の識別信号２２１を検知できる。一方、第２誘導コイル２１３６と第１誘導コイル２１３５とを並列に接続し、磁束量を強化させる。さらに、コンデンサー２１４は可変コンデンサーであり、第１コンデンサー値を調整することにより磁束量を変更できる。また、コンデンサー２１４は固定コンデンサーに第２可変コンデンサーを加わることができる。第２可変コンデンサーは第２コンデンサー値を調整することにより磁束量を変更でき、かつ、第２可変コンデンサーの精度を第１可変コンデンサー値より高く設定する。
【００１０】
このほか、識別モジュール２１５は識別信号２２１を受信し、ＲＦＩＤタグ２２を識別した上、第１誘導コイル２１３５の位置により、ＲＦＩＤタグ２２の位置決めを行う。さらに、複数のモジュール回路のうち、各モジュール回路２１２（図の太線部分）は、発振モジュール２１１、当該検知モジュールいずれ（検知モジュール２１３など）、コンデンサー２１４及び識別モジュール２１５に接続し、識別信号２２１を伝送する。そのうち、各モジュール回路２１２の長さをほぼ一致にして、すべての誘導コイルを電気整合状態にして、すべての誘導コイルのインダクタンス値誤差を軽減する。このほか、各モジュール回路２１３は、第２切換えユニット２１３２、接地単元２１３７、第３切換えユニット２１３３と第４切換えユニット２１３４を追加しても良い。第２切換えユニット２１３２によって、同じ時間に二つのＲＦＩＤ識別信号２２１が識別モジュール２１５に伝送することを防止できる。接地単元２１３７によって、他の誘導コイルの第１誘導コイル２１３５及び第２誘導コイル２１３６への干渉を防止できる。一方、第３切換えユニット２１３３と第４切換えユニット２１３４は、第１誘導コイル２１３５と第２誘導コイル２１３６を接地単元２１３７に介して接地する。
【００１１】
図３に、本発明によるＲＦＩＤ位置決め装置実施例の稼働図を示す。まず、ＲＦＩＤ位置決め装置を提供し、発振モジュール３１、複数の検知モジュール、固定コンデンサー３３１、可変コンデンサー３３２、検知回路３４及び複数のモジュール回路を含める。当該検知モジュールは並列方式に配列され、かつ、各検知モジュールは少なくとも一つの第１切換えユニット３２１、第１誘導コイル３２５と第２誘導コイル３２６を有し、第２切換えユニット３２２、接地単元３２７、第３切換えユニット３２３及び第４切換えユニット３２４を追加しても良い。一方、各モジュール回路は発振モジュール３１、当該検知モジュールのいずれ、固定コンデンサー３３１、可変コンデンサー３３２及び検知回路３４に接続する。かつ、各モジュール回路の長さをほぼ一致にして、すべての誘導コイルを電気整合状態にして、すべての誘導コイルのインダクタンス値誤差を軽減する。
【００１２】
引き続きに、発振モジュール３１より、所定の周波数を発振する。さらに、周波数に基づいて、第１切換えユニット３２１と第２切換えユニット３２２との導通動作を実行し、他の第１切換えユニットと第２切換えユニットを断線させる。さらに、第３切換えユニット３２３と第４切換えユニット３２４と断線動作を実行し、第１誘導コイル３２５と第２誘導コイル３２６の接地を防止する。それに伴い、他の第３切換えユニットと第４切換えユニットの導通動作を実行し、他の第１誘導コイルと第２誘導コイルを接地させる。引き続きに、第１誘導コイル３２５と固定コンデンサー３３１及び可変コンデンサーに磁束を形成し、この磁束により第１誘導コイル３２５はＲＦＩＤタグの識別信号を検知できる。一方、第２誘導コイル３２６と第１誘導コイル３２５とを並列に接続し、磁束量を強化させる。最後に、当該モジュール回路のいずれを介して、識別信号（矢印の位置）を伝送する。このほか、検知回路３４は識別信号を受信し、ＲＦＩＤタグを識別した上、第１誘導コイル３２５の位置により、ＲＦＩＤタグの位置決めを行う。
【００１３】
図４Ａないし４Ｅを併せて参照する。図４Ａに、公知技術の長さが不一致の回路モジュール概略図を示す。誘導コイルＬ１ないし誘導コイルＬ９は３Ｘ３二次元マトリックス方式によって配列され、かつ、各誘導コイルに接続するモジュール回路の長さがほぼ不一致である。図４Ｂに公知技術による長さ不一致のモジュール回路の比較図であり、主に図４Ａの誘導コイルＬ１と誘導コイルＬ７のモジュール回路を示す。二つのモジュール回路の長さ比較方法は、誘導コイルＬ１モジュール回路の長さは位置４２１ないし位置４２２の長さに、位置４２３ないし位置４２４の長さを加わる。そこで、誘導コイルＬ７モジュール回路の長さは位置４２５ないし位置４２６の長さに、位置４２７ないし位置４２８の長さを加わるように簡略化することができる。二つのモジュール回路の長さが不一致のため、誘導コイルＬ１と誘導コイルＬ７とのインダクタンス値も同じくない。
【００１４】
さらに、図４Ｃに本発明によるＲＦＩＤ位置決め装置のモジュール回路概略図を示す。Ｌ１’ないし誘導コイルＬ９’は３Ｘ３二次元マトリックス方式によって配列され、かつ、各誘導コイルに接続するモジュール回路の長さがほぼ一致している。引き続き、図４Ｄに本発明によるＲＦＩＤ位置決め装置のモジュール回路比較図を示す。主に図４Ｃの誘導コイルＬ１’と誘導コイルＬ７’とのモジュール回路を示す。二つのモジュール回路の長さ比較方法は、誘導コイルＬ１’モジュール回路の長さは位置４４１ないし位置４４２の長さに、位置４４３ないし位置４４４の長さを加わる。そこで、誘導コイルＬ７’モジュール回路の長さは位置４４５ないし位置４４６の長さに、位置４４７ないし位置４４８の長さを加わるように簡略化することができる。二つのモジュール回路の長さがほぼ一致のため、誘導コイルＬ１’と誘導コイルＬ７’とのインダクタンス値は等しいに近い。
【００１５】
さらに、図４Ｅに、図４Ａと４Ｃの誘導コイルのインダクタンス値比較表を示す。この比較表から、図４Ａの長さが不一致のモジュール回路における、誘導コイルのインダクタンス値の最大誤差は２９％である。一方、図４Ｃに示す本発明による長さをほぼ一致にしたモジュール回路における、誘導コイルのインダクタンス値の最大誤差は１.４９％しかない。そのうち、インダクタンス値の最大誤差=（最大インダクタンス値Ｌｍａｘ−最小インダクタンス値Ｌｍｉｎ）／インダクタンス平均値Ｌａｖｇである。共振周波数はｆ＝１／（２π√ＬＣ）のため、コンデンサー値を一定にした場合、共振周波数ｆ∝（１／√Ｌ）である。長さが不一致のモジュール回路におけるインダクタンス値誤差があまり大きいため、すべての誘導コイル共振が難しいことから、すべての誘導コイルの検知能力を低下させている。よって、すべての回路モジュールの長さをほぼ一致にして、すべての誘導コイルを電気整合状態にして、識別信号を正しく検出する。
【００１６】
図５に、本発明によるＲＦＩＤ位置決め方法のフロー図を示す。この図において、本方法は図２に示すＲＦＩＤ位置決め装置概略図に対応し、ステップＳ５０１ないしＳ５０７を含める。なお、ステップＳ５０８ないしＳ５１０を追加しても良い。
【００１７】
ステップＳ５０１：ＲＦＩＤ位置決め装置２１を提供し、発振モジュール２１１、少なくとも一つのコンデンサー２１４、複数の検知モジュール、識別モジュール２１５（検知回路など）及び複数のモジュール回路を含める。当該検知モジュールは、あらかじめに設定していた方式により配列し、かつ、各検知モジュール２１３は少なくとも一つの第１切換えユニット２１３１、第１誘導コイル２１３５と第２誘導コイル２１３６とを有する。各モジュール回路２２１（図示の太線部分）は発振モジュール２１１、当該検知モジュールのいずれ（検知モジュール２１３など）、コンデンサー２１４及び識別モジュール２１５に接続する。かつ、各モジュール回路２１２の長さをほぼ一致にして、すべての誘導コイルを電気整合状態にして、すべての誘導コイルのインダクタンス値誤差を軽減する。
【００１８】
ステップＳ５０２： 発振モジュール２１１より、所定の周波数２１１１を発振する。
【００１９】
ステップＳ５０３：周波数２１１１に従い、当該検知モジュールに備えたひとつの第１切換えユニット（第１切換えユニット２１３１など）は導通動作を実行し、他の第１切換えユニットは切断動作を実行する。
【００２０】
ステップＳ５０４：この導通動作により、第１誘導コイル２１３５とコンデンサー２１４に磁束を形成し、この磁束により第１誘導コイル２１３５はＲＦＩＤタグ２２の識別信号２２１を検知できる。
【００２１】
ステップＳ５０５：一方、第２誘導コイル２１３６と第１誘導コイル２１３５とを並列に接続し、磁束量を強化させる。
【００２２】
ステップＳ５０６：当該モジュール回路のいずれ（モジュール回路２１２など）を介して、識別信号２２１を伝送する。
【００２３】
ステップＳ５０７：このほか、識別モジュール２１５が識別信号２２１を受信し、ＲＦＩＤタグ２２を識別した上、第１誘導コイル２１３５の位置により、ＲＦＩＤタグ２２の位置決めを行う。そこで、複数のＲＦＩＤタグの識別と位置決めが必要のときは、ステップＳ５０２ないしＳ５０７を繰り返して実行すれば良い。
【００２４】
ステップＳ５０８：各検知モジュール２１３に第２切換えユニット２１３２を設けて、同じ時間に二つのＲＦＩＤ識別信号２２１が識別モジュール２１５に伝送することを防止できる。
【００２５】
ステップＳ５０９：各検知モジュール２１３に接地単元２１３７を設けて、他の誘導コイルによる第１誘導コイル２１３５と第２誘導コイル２１３６への干渉を防止する。
【００２６】
ステップＳ５１０：各検知モジュール２１３に第３切換えユニット２１３３と第４切換えユニット２１３４を設けて、第１誘導コイル２１３５と第２誘導コイル２１３６を接地させる。
以上は実施例の列挙であり、本発明になんらの制限を加わるものではない。本発明の精神と範疇を逸脱しない限り、その等効果修正又は変更は、なお、本明細書の特許請求範疇に含まれるものとする。
【図面の簡単な説明】
【００２７】
【図１】公知技術のＲＦＩＤ位置決め装置の概略図である。
【図２】本発明によるＲＦＩＤ位置決め装置の概略図である。
【図３】本発明によるＲＦＩＤ位置決め装置実施例の稼働図である。
【図４Ａ】公知技術の長さが異なるモジュール回路の概略図である。
【図４Ｂ】公知技術の長さが異なるモジュール回路の比較図である。
【図４Ｃ】本発明によるＲＦＩＤ位置決め装置のモジュール回路の概略図である。
【図４Ｄ】本発明によるＲＦＩＤ位置決め装置のモジュール回路の比較図である。
【図４Ｅ】図４Ａと４Ｃにおける、誘導コイルのインダクタンス値比較表、及び
【図５】本発明によるＲＦＩＤ位置決め方法のフロー図である。
【符号の説明】
【００２８】
１１        ＲＦＩＤ位置決め装置
１１１      周波数発生器
１１２      切換えユニット
１１３      アンテナ検知キット
１１４      コンデンサー
１１５      検知回路
１２        ＲＦＩＤタグ
２１        ＲＦＩＤ位置決め装置
２１１      発振モジュール
２１１１    周波数
２１２      モジュール回路
２１３      検知モジュール
２１３１    第１切換えユニット
２１３２    第２切換えユニット
２１３３    第３切換えユニット
２１３４    第４切換えユニット
２１３５    第１誘導コイル
２１３６    第２誘導コイル
２１３７    接地単元
２１４      コンデンサー
２１５      識別モジュール
２２        ＲＦＩＤタグ
２２１      識別信号
３１        発振モジュール
３２１      第１切換えユニット
３２２      第２切換えユニット
３２３      第３切換えユニット
３２４      第４切換えユニット
３２５      第１誘導コイル
３２６      第２誘導コイル
３２７      接地単元
３３１      固定コンデンサー
３３２      可変コンデンサー
３４        検知回路
Ｌ１〜Ｌ９、Ｌ１’〜Ｌ９’  誘導コイル
４２１〜４２８、４４１〜４４８   位置、及び
Ｓ５０１〜Ｓ５１０  ステップフロー
【図１】
2009065660.tif 000003
【図２】
2009065660.tif 000004
【図３】
2009065660.tif 000005
【図４Ａ】
2009065660.tif 000006
【図４Ｂ】
2009065660.tif 000007
【図４Ｃ】
2009065660.tif 000008
【図４Ｄ】
2009065660.tif 000009
【図４Ｅ】
2009065660.tif 000010
【図５】
2009065660.tif 000011